(57)【要約】      （修正有）【課題】流出水が利用者の手に適合し、利用者の手を効果的に洗うことができる少なくとも１つの細長い流出口を有する蛇口を提供する。【解決手段】蛇口は、中空の本体１０を有する。この本体は、取付部１１と、延長部１２と、少なくとも１つの流入口１３と、流路１４とを有する。前記取付部は、上部と、底部とを有する。前記延長部は、前記取付部の前記上部に固定され、延長方向に伸び、少なくとも１つの細長い流出口１２１を有する。この流出口１２１は、前記延長部に形成され、該延長部の延長方向に沿った最大の長さを有する。前記流入口は、前記取付部の前記底部に形成されている。流路は、前記本体に形成され、前記流出口及び前記流入口に連通する。前記流出口は、前記延長部の延長方向に沿って細長いので、前記流出口から流れ出た水は、利用者の手に適合することができ、洗浄効果を向上させることができる。【選択図】図１
0003166287.tif 000002
【実用新案登録請求の範囲】
【請求項１】
中空の本体を含み、
前記本体は、取付部と、該取付部に固定された延長部と、該取付部に形成された少なくとも１つの流入口と、前記本体に形成された流路とを有し、
前記取付部は、上部と、該取付部の上部と向かい合う底部とを有し、
前記延長部は、前記取付部の前記上部に固定され、延長方向に伸び、前記延長部の延長方向に形成された少なくとも１つの細長い流出口であって前記延長部の前記延長方向に沿った最大の長さを有する細長い流出口を有し、
前記流入口は前記取付部の前記底部に形成され、
前記流路は、前記流出口及び前記流入口に連通している、蛇口。
【請求項２】
前記延長部は、棒状で、前記取付部に接続された第１の端部と、前記延長部の前記第１の端部と向かい合う第２の端部であって底面を有する第２の端部とを有し、
前記流出口は前記延長部に２つ設けられ、該流出口は直線状で、各流出口は、前記延長部の前記延長方向に沿って伸びる２つの向かい合った長い側部と、２つの向かい合う短い側部と、水平面に位置する開口部とを有し、
各短い側部は、前記流出口の前記長い側部に接続されている、請求項１に記載の蛇口。
【請求項３】
前記延長部は、棒状で、前記取付部に接続された第１の端部と、前記延長部の前記第１の端部と向かい合う第２の端部であって２つの向かい合う側面を有する第２の端部とを有し、
前記流出口は前記延長部に２つ設けられ、該流出口は直線状で、それぞれ前記延長部の前記第２の端部の前記側面を貫いて形成され、各流出口は、前記延長部の前記延長方向に沿って伸びる２つの向かい合う長い側部と、２つの短い側部とを有し、
各短い側部は、前記流出口の前記長い側部と接続され、水平面に垂直である、請求項１に記載の蛇口。
【請求項４】
前記延長部は、Ｕ字状で、前記取付部に接続された中央部分と、それぞれが前記延長部の前記中央部分に固定された２つのアーム部分とを有し、
前記アーム部分は、前記延長部分の前記延長方向に沿って伸び、
各アームは、遠位端と、内面とを有し、
前記アームの遠位端は、水平面に位置し、
前記アームの内面は、互いに向かい合い、
前記流出口は前記延長部に２つ設けられ、該流出口はＬ字状で、それぞれ前記アームの前記内面に形成され、前記延長部の前記延長方向に沿って伸びている、請求項１に記載の蛇口。
【考案の詳細な説明】
【技術分野】
【０００１】
本考案は蛇口に関し、特に流出水が、利用者の手に適合し、利用者の手を効果的に洗える少なくとも１つの細長い流出口を有する蛇口に関する。
【背景技術】
【０００２】
従来の蛇口は、流し台又は洗面器に固定され、本体を有する。この本体は、取付部と、延長部と、流入口と、流出口と、流路とを有する。前記取付部は、前記流し台又は前記洗面器に固定されている。前記延長部は、前記取付部の上部に固定され、前記蛇口を使用する間、該蛇口に向けて伸びる利用者の手の方向と常に平行な延長方向を有する。前記流入口は、前記本体の底部に形成されている。前記流出口は、前記延長部に形成されている。前記流路は、前記本体に形成され、前記流出口から流れ出た水が利用者の手を洗うことができるように前記流入口及び前記流出口を連通する。
【０００３】
しかし、前記流出口は、通常、前記延長部の延長方向に対して垂直な直線に沿って細長い。その結果、前記流出口からの流出水は、利用者の手に適合することができず、利用者の手を効果的に洗うことができない。また、前記流出水が手の一部に集中し、水はねを生じさせる。
【０００４】
上記目的を達成するために、本考案は、前記の問題を改善する蛇口を提供する。
【考案の概要】
【考案が解決しようとする課題】
【０００５】
本考案の目的は、流出水が利用者の手に適合し、利用者の手を効果的に洗える少なくとも１つの細長い流出口を有する蛇口を提供することにある。
【課題を解決するための手段】
【０００６】
蛇口は、中空の本体を有する。この本体は、取付部と、延長部と、少なくとも１つの流入口と、流路とを有する。前記取付部は、上部と、底部とを有する。前記延長部は、前記取付部の上部に固定され、延長方向に伸び、少なくとも１つの細長い流出口とを有する。前記流出口は、前記延長部に形成され、該延長部の前記延長方向に沿って最大の長さを有する。前記流入口は、前記取付部の前記底部に形成されている。前記流路は、前記本体に形成され、前記流出口及び前記流入口に連通している。前記流出口は、前記延長部の前記延長方向に沿って細長いので、前記流出口からの流出水は、利用者の手に適合することができ、洗浄効率を向上させることができる。
【０００７】
本発明の他の目的、利点及び新規の特徴は、添付の図面に関する以下の詳細な説明からより明らかになる。
【図面の簡単な説明】
【０００８】
【図１】本考案に係る蛇口の第１の実施例の斜視図。
【図２】図１の蛇口の第１の実施例の動作斜視図。
【図３】本考案に係る蛇口の第２の実施例の斜視図。
【図４】本考案に係る蛇口の第３の実施例の斜視図。
【図５】本考案に係る蛇口の第４の実施例の斜視図。
【考案を実施するための形態】
【０００９】
図１及び図２を参照するに、本考案に係る蛇口の第１の実施例は、中空の本体１０を含む。
【００１０】
本体１０は、取付部１１と、延長部１２と、少なくとも１つの流入口１３と、流路１４とを有する。取付部１１は、上部と、底部とを有する。取付部１１の前記底部は、該取付部の前記上部と向かい合っている。延長部１２は、取付部１１の前記上部に固定され、延長方向に伸び、少なくとも１つの細長い流出口１２１を有する。流出口１２１は、延長部１２に形成され、該延長部の前記延長方向に沿って最大長さを有する。流入口１３は、取付部１１の前記底部に形成される。流路１４は、本体１０に形成され、流出口１２１及び流入口１３に連通する。
【００１１】
本考案に係る蛇口の第１の実施例において、延長部１２は、棒状で、第１の端部と、第２の端部とを有する。延長部１２の前記第１の端部は、取付部１１に接続されている。延長部１２の前記第２の端部は、該延長部の前記第１の端部と向かい合い、底面を有する。
【００１２】
２つの細長い流出口１２１が設けられ、該流出口は直線状である。各流出口１２１は、２つの向かい合った長い側部と、２つの向かい合った短い側部と、開口部とを有する。各流出口１２１の前記長い側部は、延長部１２の前記延長方向に沿って伸びる。流出口１２１の各短い側部は、流出口１２１の前記長い側部に接続されている。各流出口１２１の前記開口部は、水平面に位置する。
【００１３】
使用するとき、取付部１１は、流し場又は洗面器に固定され、水源に接続される。水は、流出水を２つの平行なスクリーンのような形に形成するために順に流入口１３から流路１４及び流出口１２１へ流れる。流出口１２１は、延長部１２の前記延長方向に沿って細長いので、前記流出水は利用者の手に適合することができ、利用者の手を効果的に洗うことができる。
【００１４】
図３を参照するに、本考案に係る蛇口の第２の実施例において、延長部１２Ａは、棒状で、第１の端部と第２の端部とを有する。延長部１２Ａの前記第１の端部は、取付部１１Ａに接続されている。延長部１２Ａの前記第２の端部は、前記延長部の前記第１の端部と向かい合い、２つの向かい合う側面を有する。
【００１５】
２つの細長い流出口１２１Ａが設けられ、該流出口は直線状である。流出口１２１Ａは、それぞれ延長部１２Ａの第２の端部の前記側面を貫いて形成されている。各流出口１２１Ａは、２つの向かい合った長い側部と、２つの向かい合った短い側部とを有する。各流出口１２１Ａの前記長い側部は、延長部１２Ａの前記延長方向に沿って伸びる。流出口１２１Ａの各短い側部は、流出口１２１Ａの前記長い側部に接続され、水平面に垂直である。
【００１６】
図４を参照するに、本考案に係る蛇口の第３の実施例において、延長部１２Ｂは、Ｕ字状で、中央部分と、２つのアーム部分とを有する。延長部１２Ｂの前記中央部分は、取付部１１Ｂに接続されている。延長部１２Ｂのアーム部分は、それぞれ延長部１２Ｂの前記中央部分に固定され、延長部１２Ｂの前記延長方向に沿って伸びる。延長部１２Ｂの各アーム部分は、遠位端と、内面とを有する。前記アーム部分の前記遠位端は、水平面に位置する。前記アーム部分の前記内面は、互いに向かい合う。
【００１７】
２つの細長い流出口１２１Ｂが設けられ、該流出口はＬ字状である。流出口１２１Ｂは、それぞれ前記アーム部分の前記内面に形成され、延長部１２Ｂの前記延長方向に沿って伸びる。
【００１８】
図５を参照するに、本考案に係る蛇口の第４の実施例は、第１の実施例と実質的に同じである。１つの細長い流出口１２１Ｃが設けられている。
【００１９】
上記の説明から、本考案は以下の利点を有する。
【００２０】
１．優れた洗浄効率
流出口１２１、１２１Ａ、１２１Ｂ、１２１Ｃは、延長部１２、１２Ａ、１２Ｂの前記延長方向に沿って細長いので、前記流出水は、利用者の手に適合することができ、洗浄効果を向上させることができる。
【００２１】
２．水はねの減少
前記流出水が利用者の手を均等に洗い流し、手の一部分に集中することがないので、水はねを減少させることができる。
【００２２】
本考案の様々な特徴や利点を詳細な構造や機能とともに上記にて説明してきたが、開示は一例にすぎない。変更すること、特に形状や大きさ、部品の配置を変更することは、添付の請求項が表現する言葉の広い解釈により定められる範囲を超えない限り可能である。
【符号の説明】
【００２３】
１０  本体
１１、１１Ａ、１１Ｂ  取付部
１２、１２Ａ、１２Ｂ  延長部
１３  流入口
１４  流路
１２１、１２１Ａ、１２１Ｂ、１２１Ｃ  細長い流出口
【図１】
0003166287.tif 000003
【図２】
0003166287.tif 000004
【図３】
0003166287.tif 000005
【図４】
0003166287.tif 000006
【図５】
0003166287.tif 000007